(57)【要約】      （修正有）【課題】コンテンツ要約情報表示機能を有する多機能機を提供する。【解決手段】多機能機１０のＣＰＵは、取得された更新コンテンツ情報に含まれるタイトルを表示パネルに１行スクロール表示させる。ＣＰＵは、表示パネルに１行スクロール表示中のタイトルを選択する操作を受け付ける。ＣＰＵは、１行スクロール表示中のタイトルを選択する操作を受け付けた場合、１行スクロール表示中のタイトルに対応する更新コンテンツ情報の取得元であるコンテンツ提供サーバ９０、９１から取得した更新コンテンツ情報のタイトルを一覧表示する。ＣＰＵは、一覧表示されたタイトルのうちの何れか１つを選択する操作を受け付ける。ＣＰＵは、タイトルを選択する操作を受け付けた場合、選択されたタイトルに対応するコンテンツを取得する処理をＰＣ７０、７１に行わせる。【選択図】図１
2010087719.tif 000002
【特許請求の範囲】
【請求項１】
コンテンツに関するコンテンツ要約情報が複数保持されるコンテンツ要約情報サーバにインターネットを介してアクセス可能とされると共に、情報表示装置に通信可能に接続される通信装置であって、
前記コンテンツ要約情報を取得する要約情報取得手段と、
取得された前記コンテンツ要約情報に含まれるタイトルを前記通信装置に備えられる表示部に１行スクロール表示させるスクロール表示手段と、
前記表示部に１行スクロール表示中のタイトルを選択する操作である第１選択操作を受け付ける第１選択手段と、
前記第１選択手段が前記第１選択操作を受け付けた場合、前記１行スクロール表示中のタイトルに対応する前記コンテンツ要約情報の取得元である前記コンテンツ要約情報サーバから取得した前記コンテンツ要約情報の前記タイトルを一覧表示する一覧表示手段と、
一覧表示された前記タイトルのうちの何れか１つを選択する操作である第２選択操作を受け付ける第２選択手段と、
前記第２選択手段が前記第２選択操作を受け付けた場合、選択されたタイトルに対応する前記コンテンツを取得する処理を前記情報表示装置に行わせるコンテンツ取得手段と、
を備えることを特徴とする通信装置。
【請求項２】
前記一覧表示手段は、前記第１選択手段が前記第１選択操作を受け付けた場合には、該第１選択操作を受け付けたときに前記表示部に１行スクロール表示中のタイトルが含まれるように、該１行スクロール表示中のタイトルに対応する前記コンテンツ要約情報の取得元である前記コンテンツ要約情報サーバから取得した前記コンテンツ要約情報の前記タイトルを一覧表示する
ことを特徴とする請求項１に記載の通信装置。
【請求項３】
複数の前記コンテンツ要約情報と、前記コンテンツ要約情報の各々に割り振られる優先度とを対応付けて記憶する記憶手段と、
前記第１選択手段とは独立して動作し、前記第１選択操作とは異なる操作であって前記コンテンツ要約情報サーバを選択する操作である第３選択操作を受け付ける第３選択手段とを備え、
前記一覧表示手段は、前記第３選択手段が操作を受け付けた場合、選択された前記コンテンツ要約情報サーバから取得した前記コンテンツ要約情報の前記タイトルを、前記記憶手段に記憶された前記優先度の順に一覧表示する
ことを特徴とする請求項１または請求項２に記載の通信装置。
【請求項４】
複数の前記コンテンツ要約情報と、前記コンテンツ要約情報の各々に割り振られる優先度とを対応付けて記憶する記憶手段と、
前記第２選択手段とは独立して動作し、前記第２選択操作とは異なる操作であって前記コンテンツ要約情報サーバを選択する操作である第４選択操作を受け付ける第４選択手段とを備え、
前記一覧表示手段は、前記第４選択手段が操作を受け付けた場合、前記通信装置が前記インターネットを介してアクセス可能とされる前記コンテンツ要約情報サーバのサイト名を一覧表示し、
第２選択手段は、一覧表示された前記サイト名のうちの何れか１つを選択する操作である第５選択操作を受け付け、
さらに前記一覧表示手段は、前記第２選択手段が前記第５選択操作を受け付けた場合、選択された前記サイト名に対応する前記コンテンツ要約情報サーバから取得した前記コンテンツ要約情報の前記タイトルを、前記記憶手段に記憶された前記優先度の順に一覧表示する
ことを特徴とする請求項１ないし請求項３に記載の通信装置。
【発明の詳細な説明】
【技術分野】
【０００１】
本発明は、ネットワーク上で公開されているコンテンツのタイトルを表示する通信装置に関する。
【背景技術】
【０００２】
様々なコンテンツがネットワーク上で公開されている。各コンテンツのＵＲＬと各コンテンツのタイトルとを含むコンテンツ要約情報を公開しているサーバが存在する。コンテンツ要約情報の一例として、例えば、フィード情報（Ｆｅｅｄ）を挙げることができる。フィード情報のフォーマットとしては、例えば、ＲＳＳ(Resource Description Framework Site Summary)やＡｔｏｍが存在する。
【０００３】
特許文献１には、複数のＲＳＳサーバからＲＳＳフィード情報（記事の画像も含まれる）を取得し、記事のタイトルを一覧表示し、何れかのタイトルが選択されると、記事のタイトル、本文（デスクリプション）、画像、ウェブページへのリンクボタンを表示する構成が開示されている。そして、リンクボタンが選択されると、ウェブページの情報を取得して表示するという構成が開示されている。
【０００４】
【特許文献１】特開２００８−１６５６９２
【発明の開示】
【発明が解決しようとする課題】
【０００５】
比較的小さい表示装置で記事のタイトルを一覧表示する場合には、タイトル一覧の全部を表示装置に表示することはできないため、タイトル一覧の一部を表示することになる。すると、目的の記事情報を探すために、タイトル一覧をスクロール表示させるなどの手間が発生するため問題である。本明細書では、このような不便性を解消することができる技術を提供する。
【課題を解決するための手段】
【０００６】
本発明に係る通信装置は、コンテンツに関するコンテンツ要約情報が複数保持されるコンテンツ要約情報サーバにインターネットを介してアクセス可能とされる。また、本発明に係る通信装置は、情報表示装置に通信可能に接続される。
【０００７】
本発明に係る通信装置は、要約情報取得手段と、スクロール表示手段と、第１選択手段と、一覧表示手段と、第２選択手段と、コンテンツ取得手段と、を備える。要約情報取得手段は、コンテンツ要約情報を取得する。スクロール表示手段は、取得されたコンテンツ要約情報に含まれるタイトルを通信装置に備えられる表示部に１行スクロール表示させる。第１選択手段は、表示部に１行スクロール表示中のタイトルを選択する操作である第１選択操作を受け付ける。一覧表示手段は、第１選択手段が第１選択操作を受け付けた場合、１行スクロール表示中のタイトルに対応するコンテンツ要約情報の取得元であるコンテンツ要約情報サーバから取得したコンテンツ要約情報のタイトルを一覧表示する。第２選択手段は、一覧表示されたタイトルのうちの何れか１つを選択する操作である第２選択操作を受け付ける。コンテンツ取得手段は、第２選択手段が第２選択操作を受け付けた場合、選択されたタイトルに対応するコンテンツを取得する処理を情報表示装置に行わせる。
【０００８】
１行スクロール表示とは、例えば、表示部の一方の端から他方の端へ移動するように、テロップ状にタイトルを表示する表示方法である。これにより、狭い表示部であっても、タイトルの全文を表示することが可能となる。
【０００９】
これにより、タイトルを１行スクロール表示することで、ユーザを各コンテンツに注目させることができる。また、ユーザが興味をもったコンテンツのタイトルを選択することに応じて、選択されたコンテンツに関連する記事のタイトルを、ユーザに選択可能に表示部に一覧表示することができる。よって、ユーザが各コンテンツ容易にアクセスすることが可能となる。
【００１０】
また、上記の技術は、通信装置が有する表示部より情報表示装置が有する表示部の方が大きい場合に効果的である。これにより、通信装置が有する表示部ではコンテンツの全体を見づらい場合、通信装置から情報表示装置にコンテンツの位置情報を送信することができる。そして、ユーザは、情報表示装置が有する表示手段においてコンテンツの全体を見ることができるため、よりユーザの利便性を図ることが可能となる。
【００１１】
また、一覧表示手段は、第１選択手段が第１選択操作を受け付けた場合には、該第１選択操作を受け付けたときに表示部に１行スクロール表示中のタイトルが含まれるように、該１行スクロール表示中のタイトルに対応するコンテンツ要約情報の取得元であるコンテンツ要約情報サーバから取得したコンテンツ要約情報のタイトルを一覧表示する。
【００１２】
これにより、表示部にタイトル一覧の一部を表示する場合においても、目的の記事のタイトル（すなわち、ユーザが選択した１行スクロール表示中のタイトル）を探すために、タイトル一覧をスクロール表示させるなどの手間が発生することを防止できる。よって、ユーザが注目したコンテンツに容易にアクセスすることが可能となる。
【００１３】
また、通信装置は、記憶手段と、第３選択手段とを更に備えるとしてもよい。記憶手段は、複数のコンテンツ要約情報と、コンテンツ要約情報の各々に割り振られる優先度とを対応付けて記憶する。第３選択手段は、第１選択手段とは独立して動作し、第１選択操作とは異なる操作であってコンテンツ要約情報サーバを選択する操作である第３選択操作を受け付ける。また、一覧表示手段は、第３選択手段が操作を受け付けた場合、選択されたコンテンツ要約情報サーバから取得したコンテンツ要約情報のタイトルを、記憶手段に記憶された優先度の順に一覧表示するとしてもよい。
【００１４】
これにより、ユーザは、第１選択手段とは別に、第３選択手段を用いて、コンテンツ要約情報サーバを選択することが可能となる。すなわち、ユーザに対して、所望のコンテンツを選択する手段を複数提供することができる。そして、選択したコンテンツ要約情報サーバから取得したコンテンツ要約情報のタイトルの一覧から、所望のタイトルを選択することが可能となる。よって、ユーザが高い頻度で閲覧するコンテンツに対応するコンテンツ要約情報の取得元であるコンテンツ要約情報サーバが特定されている場合には、当該コンテンツ要約情報サーバに関連するコンテンツ要約情報のタイトルが１行スクロール表示されてくるのを待たずとも、第３選択手段を用いてコンテンツ要約情報サーバを選択できるため、ユーザが閲覧したいコンテンツへ対するアクセス性を更に高めることができる。
【００１５】
また、コンテンツ要約情報のタイトルを優先度の順に一覧表示することにより、優先度が高いコンテンツ要約情報が必ず最初に表示部に表示される。よって、目的の記事のタイトルを探すためにタイトル一覧をスクロール表示させるなどの手間を減らすことができるため、よりユーザの利便性を図ることが可能となる。
【００１６】
また、通信装置は、記憶手段と、第４選択手段とを更に備えるとしてもよい。記憶手段は、複数のコンテンツ要約情報と、コンテンツ要約情報の各々に割り振られる優先度とを対応付けて記憶する。第４選択手段は、第２選択手段とは独立して動作し、第２選択操作とは異なる操作であってコンテンツ要約情報サーバを選択する操作である第４選択操作を受け付ける。また、第２選択手段は、一覧表示されたサイト名のうちの何れか１つを選択する操作である第５選択操作を受け付けるとしてもよい。また、一覧表示手段は、第２選択手段が第５選択操作を受け付けた場合、選択されたサイト名に対応するコンテンツ要約情報サーバから取得したコンテンツ要約情報のタイトルを、記憶手段に記憶された優先度の順に一覧表示するとしてもよい。
【００１７】
これにより、ユーザは、第２選択手段とは別に、第４選択手段を用いて、コンテンツ要約情報サーバを選択することが可能となる。そして、選択したコンテンツ要約情報サーバから取得したコンテンツ要約情報のタイトルの一覧から、所望のタイトルを選択することが可能となる。よって、ユーザが高い頻度で閲覧するコンテンツに対応するコンテンツ要約情報の取得元であるコンテンツ要約情報サーバが特定されている場合には、第３選択手段を用いて特定されたコンテンツ要約情報サーバを選択できるため、ユーザが閲覧したいコンテンツへ対するアクセス性を更に高めることができる。
【発明を実施するための最良の形態】
【００１８】
図面を参照して実施例を説明する。図１は、本実施例の多機能機システム２の概略図を示す。多機能機システム２は、多機能機１０と、複数のＰＣ７０および７１と、複数のコンテンツ提供サーバ９０および９１と、を備える。多機能機１０は、ＬＡＮ回線４に接続されている。各ＰＣ７０および７１は、ＬＡＮ回線４に接続されている。ＬＡＮ回線４は、ルータ６を介してインターネット８に接続されている。各コンテンツ提供サーバ９０、９１は、インターネット８に接続されている。本実施例では、コンテンツ提供サーバ９０がある１つのサイトを公開しており、コンテンツ提供サーバ９１が別の１つのサイトを公開している。各サイトは、複数のコンテンツを含んでいる。さらに、各コンテンツ提供サーバ９０、９１は、自身のサイトが含んでいる複数のコンテンツの要約情報であるフィード情報（ＲＳＳ形式のフィード情報）を記憶している。これらの情報の具体的な内容については、後で詳しく説明する。
【００１９】
（多機能機の構成）
図２は、多機能機１０の構成を示す。多機能機１０は、制御部１２、表示パネル５０、キーパッド５２、印刷部５４、スキャン部５６、ＦＡＸ部５８、ネットワークインターフェイス６０、ＰＳＴＮインターフェイス６２、等を有する。制御部１２は、ＣＰＵ１４、ＲＯＭ１６、ＲＡＭ３０、ＮＶＲＡＭ４０、等を有する。
【００２０】
ＣＰＵ１４は、ＲＯＭ１６に記憶されているプログラム１８〜２６に従って様々な処理を実行する。ＣＰＵ１４が実行する処理については、後で詳しく説明する。ＲＯＭ１６は、様々なプログラム１８〜２６を記憶している。基本機能プログラム１８は、多機能機１０の基本的な動作を制御するためのプログラムである。基本機能プログラム１８は、例えば、表示パネル５０に表示される表示データを生成するためのプログラムを含んでいる。また、基本機能プログラム１８は、例えば、印刷部５４、スキャン部５６、ＦＡＸ部５８等を制御するためのプログラムを含んでいる。インターネット接続プログラム２０は、インターネット８に接続するためのプログラムである。フィード情報解析プログラム２２は、コンテンツ提供サーバ９０、９２から取得されるフィード情報を解析し、表示パネル５０で表示するための情報（以下では表示情報と呼ぶ）を作成するためのプログラムである。フィード情報表示プログラム２４は、表示情報を表示するためのプログラムである。ＰＣ管理プログラム２６は、ＰＣ７０、７１から送信されるＰＣ起動通知に従って処理を実行するためのプログラムである。
【００２１】
ＲＡＭ３０は、様々な記憶領域３２〜３８を有する。基本機能ワーク領域３２は、基本機能プログラム１８に従って処理が実行される過程で生成される各種データを記憶するための記憶領域である。フィード情報解析ワーク領域３４は、フィード情報解析プログラム２２に従って処理が実行される過程で作成される各種データを記憶するための記憶領域である。表示情報記憶領域３６は、フィード情報解析プログラム２２に従って作成される表示情報を記憶するための記憶領域である。ＰＣ情報記憶領域３８は、ＰＣ起動通知の送信元のＰＣに関する情報を記憶するための記憶領域である。
【００２２】
ＮＶＲＡＭ４０は、様々な記憶領域４２〜４６を有する。基本機能パラメータ記憶領域４２は、ＣＰＵ１４が基本機能プログラム１８に従って処理を実行する際に利用される各種パラメータ（例えば印刷設定、スキャン設定等）を記憶するための記憶領域である。ＵＲＬ記憶領域４４は、各コンテンツ提供サーバ９０、９１が有するフィード情報のＵＲＬを記憶するための記憶領域である。例えば、ユーザは、各コンテンツ提供サーバ９０、９１からのコンテンツ提供サービスを受けるための登録を行なう必要がある。この登録は、多機能機１０を利用して実行されてもよいし、ＰＣ７０、７１を利用して実行されてもよい。
【００２３】
表示パネル５０は、様々な情報を表示することができる。表示パネル５０の表示画面は、ＰＣ７０、７１が有する表示画面より小さい。例えば、ＰＣ７０、７１が１７インチ以上のＬＣＤを備えるのに対して、表示パネル５０は６インチ以下である。表示パネル５０は、タッチパネルとして機能する。キーパッド５２は、複数のキーによって構成される。ユーザは、キーパッド５２を操作することによって様々な指示や情報を多機能機１０に入力することができる。ネットワークインターフェイス６０は、ＬＡＮ回線４に接続されている。多機能機１０は、ＰＣ７０、７１と通信可能であるとともに、インターネット８にアクセス可能である。ＰＳＴＮインターフェイス６２は、図示省略しているＰＳＴＮ（Ｐｕｂｌｉｃ  Ｓｗｉｔｃｈｅｄ  Ｔｅｌｅｐｈｏｎｅ  Ｎｅｔｗｏｒｋ）に接続されている。ＰＳＴＮは、ＦＡＸ通信や電話通信を行なう際に利用される。
【００２４】
（ＵＲＬ記憶領域の記憶内容）
続いて、ＮＶＲＡＭ４０のＵＲＬ記憶領域４４（図２参照）の記憶内容について説明する。図３は、ＵＲＬ記憶領域４４の記憶内容の一例を示す。ＵＲＬ記憶領域４４は、各コンテンツ提供サーバ９０、９１のフィード情報のＵＲＬ１０２を記憶することが可能である。換言すると、ＵＲＬ記憶領域４４は、各サイトのフィード情報のＵＲＬ１０２を記憶することが可能である。図３の例では、ｎ個のＵＲＬ１０２が記憶されている。ここで、ｎを登録サイト数ｎと定義する。各ＵＲＬ１０２には、識別番号１００が付与されている。本実施例では、識別番号１００を符号「ｉ」で表現する。
【００２５】
（表示情報記憶領域の記憶内容）
続いて、ＲＡＭ３０の表示情報記憶領域３６（図２参照）の記憶内容について説明する。図４は、表示情報記憶領域３６の記憶内容の一例を示す。表示情報記憶領域３６は、ＵＲＬ記憶領域４４に記憶されているＵＲＬ毎に表示情報１１２を記憶することが可能である。換言すると、表示情報記憶領域３６は、ＵＲＬ記憶領域４４に記憶されているサイト毎に表示情報１１２を記憶することが可能である。上述したように、ＵＲＬ記憶領域４４にはｎ個（ｎは１以上の整数）のＵＲＬ１０２が記憶されている（図３参照）。このために、表示情報記憶領域３６にもｎ個の表示情報１１２が記憶されている。各表示情報１１２には、識別番号１１０が付与されている。本実施例では、識別番号１１０を符号「ｉ」で表現する。
【００２６】
個々の表示情報１１２のデータ構成について説明する。表示情報１１２は、サイト情報１２０を含んでいる。サイト情報１２０は、サイトタイトル文字列１２２とフィード更新日時情報１２４を含んでいる。サイトタイトル文字列１２２は、サイトのタイトルの文字列である。サイトのタイトルのことを「サイトの名称」と言い換えることもできる。フィード更新日時情報１２４は、コンテンツ提供サーバにおいてフィード情報が更新された日時（最新の更新日時）に関する情報である。
【００２７】
表示情報１１２は、更新コンテンツ情報１３２を含んでいる。更新コンテンツ情報１３２の数は、サイトが有するコンテンツの数に等しい。例えば、図４では、「ｉ＝０」に対応する表示情報１１２は、ｍ個（ｍは１以上の整数）の更新コンテンツ情報１３２を有する。ここで、ｍを登録コンテンツ数ｍと定義する。これは、「ｉ＝０」に対応するサイトがｍ個のコンテンツを有することを意味する。例えば、所定のサイトにおいて天気予報に関するコンテンツとスポーツに関するコンテンツとが存在する場合、そのサイトに対応する表示情報１１２は、２個の更新コンテンツ情報１３２を有することになる。各更新コンテンツ情報１３２には、識別番号１３０が付与されている。本実施例では、識別番号１３０を符号「ｊ」で表現する。
【００２８】
また、ｍ個の更新コンテンツ情報１３２に割り振られる識別番号１３０は、優先度を表す。本実施形態では、例として、識別番号１３０に”０”が割り振られた更新コンテンツ情報１３２が最も優先度が高く、識別番号１３０に”ｍ−１”が割り振られた更新コンテンツ情報１３２が最も優先度が低い、とされる場合を説明する。また、優先度は、各種のパラメータを用いて定めることができる。本実施形態では、例として、新しい更新コンテンツ情報１３２ほど優先度が高くなるとする場合を説明する。具体的には、コンテンツ更新日時情報１４２が新しい更新コンテンツ情報１３２ほど、小さい識別番号１３０が割り振られる場合を説明する。
【００２９】
各更新コンテンツ情報１３２は、コンテンツタイトル文字列１４０とコンテンツ更新日時情報１４２とコンテンツ要約文字列１４４とコンテンツＵＲＬ１４６を含んでいる。コンテンツタイトル文字列１４０は、コンテンツのタイトルの文字列である。コンテンツのタイトルのことを「コンテンツの名称」と言い換えることもできる。コンテンツ更新日時情報１４２は、コンテンツ提供サーバにおいてコンテンツが更新された日時（最新の更新日時）に関する情報である。コンテンツ要約文字列１４４は、コンテンツが有する文字列が要約化されたものである。換言すると、コンテンツ要約文字列１４４は、コンテンツのタイトルより多い文字列であり、コンテンツの全体の文字列より少ない文字列であり、コンテンツの内容が反映された文字列である。コンテンツＵＲＬ１４６は、コンテンツのＵＲＬである。
【００３０】
（フィード情報解析処理）
続いて、多機能機１０のＣＰＵ１４がフィード情報を取得して解析するためのフィード情報解析処理について説明する。フィード情報解析処理は、独立したタスクとして動作し、インターネット接続プログラム２０とフィード情報解析プログラム２２（図２参照）に従って多機能機１０の起動時から実行される。図５は、フィード情報解析処理のフローチャートを示す。
【００３１】
Ｓ４８では、表示情報記憶領域３６に記憶されている表示情報１１２を初期化する。そしてＳ５０へ進む。
【００３２】
Ｓ５０では、ＣＰＵ１４は、ｎ個のサイトに順次接続して、各サイトからフィード情報を取得する。フィード情報は、図４に示されるサイト情報１２０や更新コンテンツ情報１３２を含んでいる。
【００３３】
Ｓ５２に進むと、ＣＰＵ１４は、フィード情報を解析することによって、図４に示される表示情報１１２を作成する。Ｓ５４に進むと、ＣＰＵ１４は、作成された表示情報１１２を表示情報記憶領域３６に格納する。Ｓ５６に進むと、ＣＰＵ１４は、更新時刻に到達するまで待機する。更新時刻は、例えば、ユーザによって設定されてもよいし、プログラムによって決められていてもよい。更新時刻に到達するとＳ５０に戻る。以上より、図５のＳ４８〜Ｓ５６の処理を実行することにより、表示情報記憶領域３６に、ｎ個の各サイトの最新のフィード情報が格納される。
【００３４】
（表示処理）
続いて、図６および図７のフローチャートを用いて、多機能機１０のＣＰＵ１４がフィード情報を表示するための表示処理について説明する。表示処理は、独立したタスクとして動作し、フィード情報表示プログラム２４（図２参照）に従って多機能機１０の起動時から実行される。図６のＳ７１において、ＣＰＵ１４は、表示情報記憶領域３６から表示情報１１２を読み込む。Ｓ７２に進むと、ＣＰＵ１４は、ＮＶＲＡＭ４０のＵＲＬ記憶領域４４（図２参照）に記憶されている登録サイト数ｎを取得する。Ｓ７４に進むと、ＣＰＵ１４は、カウンタｉを初期化する。Ｓ７６に進むと、ＣＰＵ１４は、カウンタｉが登録サイト数ｎより小さいか否かを判断する。カウンタｉが登録サイト数ｎより小さくない場合（Ｓ７６：ＮＯ）、Ｓ７４へ戻る。一方、カウンタｉが登録サイト数ｎより小さい場合（Ｓ７６：ＹＥＳ）、Ｓ７８に進む。
【００３５】
Ｓ７８では、ＣＰＵ１４は、ＲＡＭ３０の表示情報記憶領域３６からｉ番目のサイトの表示情報に含まれるサイト情報を取得する。例えば、ゼロ番目のサイトの場合、図４の例では、サイト情報１２０（サイトタイトル文字列１２２とフィード更新日時情報１２４）が取得される。次いでＳ８０へ進むと、ＣＰＵ１４は、ｉ番目のサイトの登録コンテンツ数ｍを取得する。次いでＳ８２へ進むと、ＣＰＵ１４は、カウンタｊを初期化する。Ｓ８４へ進むと、ＣＰＵ１４は、カウンタｊが登録コンテンツ数ｍより小さいのか否かを判断する。カウンタｊが登録コンテンツ数ｍより小さくない場合（Ｓ８４：ＮＯ）、Ｓ８６へ進み、カウンタｉに１を加算した上で、Ｓ７６へ戻る。一方、カウンタｊが登録コンテンツ数ｍより小さい場合（Ｓ８４：ＹＥＳ）、Ｓ８８に進む。
【００３６】
図７のＳ８８では、ＣＰＵ１４は、ＲＡＭ３０の表示情報記憶領域３６からｉ番目のサイトのｊ番目の更新コンテンツ情報を取得する。これにより、１つのコンテンツのコンテンツタイトル文字列１４０と、コンテンツ更新日時情報１４２と、コンテンツ要約文字列１４４と、コンテンツＵＲＬ１４６とが取得される。次いでＳ９０へ進むと、ＣＰＵ１４は、Ｓ７８で取得されたサイトタイトル文字列１２２と、Ｓ８８で取得されたコンテンツタイトル文字列１４０と、Ｓ８８で取得されたコンテンツ更新日時情報１４２を表示パネル５０に送信する。
【００３７】
Ｓ９２に進むと、表示パネル５０に、表示文字列が１行スクロール表示される。１行スクロール表示では、図１２の上段の図に示すように、コンテンツタイトル文字列１６２が、表示パネル５０の右から左に移動するようにテロップ状に表示される。これにより、狭い表示パネル５０であっても、コンテンツタイトル文字列１６２の全文を表示することが可能となる。なお、サイトタイトル文字列１２２やコンテンツ更新日時情報１４２が表示パネル５０で表示されるとしてもよい。Ｓ９２を終えると、Ｓ１００に進む。
【００３８】
Ｓ１００では、ＣＰＵ１４は、イベントが発生するまで待機する。Ｓ１００において待機対象となるイベントは、例えば、文字列スクロール終了イベントや、リスト表示要求イベントが挙げられる。そして、イベントが発生するとＳ１０２に進む。
【００３９】
Ｓ１０２では、ＣＰＵ１４は、文字列スクロール終了イベントが発生したか否かを判断する。文字列スクロール終了イベントとは、１コンテンツ分のコンテンツタイトル文字列１６２のスクロール表示が終了したことを報知するイベントである。文字列スクロール終了イベントが発生している場合（Ｓ１０２：ＹＥＳ）には、Ｓ１０４へ進む。Ｓ１０４では、ＣＰＵ１４は、カウンタｊに１を加算した上で、図６のＳ８４へ戻る。このＳ８４でカウンタｊがｍより小さいと判断されると、ＣＰＵ１４は、Ｓ８８、Ｓ９０、Ｓ９２を再び実行する。これにより、次の更新コンテンツ情報（例えば１番目の更新コンテンツ情報）に基づいて、コンテンツタイトル文字列１６２がテロップ表示される。１つのサイトの全ての更新コンテンツ情報に基づいてコンテンツタイトル文字列１６２がテロップ表示されると、Ｓ８４でＮＯと判断される。この場合、ＣＰＵ１４は、カウンタｉに１を加算し（Ｓ８６）、次のサイト（例えば１番目のサイト）についてＳ７８〜Ｓ９２の処理を実行する。これにより、次のサイトの更新コンテンツ情報に基づいてコンテンツタイトル文字列１６２がテロップ表示される。
【００４０】
一方、Ｓ１０２において、文字列スクロール終了イベントが発生していない場合（Ｓ１０２：ＮＯ）には、Ｓ１０６へ進む。Ｓ１０６では、ＣＰＵ１４は、リスト表示要求イベントが発生したか否かを判断する。リスト表示要求イベントとは、図１２の上段の図に示すように、コンテンツタイトル文字列１６２がテロップ表示されている状態において、ユーザが、コンテンツタイトル文字列１６２を選択（キー入力）したことを報知するイベントである。これにより、ユーザが、コンテンツタイトル文字列１６２に対応する更新コンテンツ情報１３２を選択することが可能となる。リスト表示要求イベントが発生している場合（Ｓ１０６：ＹＥＳ）には、Ｓ１０８へ進み、ＣＰＵ１４は、リスト表示処理を実行する。リスト表示処理の詳細については後述する。一方、リスト表示要求イベントが発生していない場合（Ｓ１０６：ＮＯ）には、Ｓ１１０へ進む。
【００４１】
Ｓ１１０では、ＣＰＵ１４は、ＲＳＳメニュー表示要求イベントが発生したか否かを判断する。ＲＳＳメニュー表示要求イベントとは、コンテンツ提供サーバを選択するための操作が行われたことを報知するイベントである。コンテンツ提供サーバを選択するための操作は、前述したコンテンツタイトル文字列１６２を選択するための操作とは独立して操作可能とされる。
【００４２】
本実施例では、図１２の上段の図の例に示すように、表示パネル５０には、コンテンツタイトル文字列１６２とは別に、ＲＳＳメニューボタン１６０が表示されている。そして、ユーザが、ＲＳＳメニューボタン１６０を選択（キー入力）する事に応じて、ＲＳＳメニュー表示要求イベントが生成される。
【００４３】
これにより、ユーザは、スクロール表示されるコンテンツタイトル文字列１６２を選択する方法とは別に、ＲＳＳメニューボタン１６０を選択する方法によっても、所望のコンテンツを閲覧することが可能となる。すなわち、ユーザに対して、所望のコンテンツを閲覧する手段を複数提供することができる。よって、ユーザが閲覧したいコンテンツへ対するアクセス性を更に高めることができる。
【００４４】
ＲＳＳメニュー表示要求イベントが発生していない場合（Ｓ１１０：ＮＯ）には、Ｓ１００へ戻る。一方、ＲＳＳメニュー表示要求イベントが発生している場合（Ｓ１１０：ＹＥＳ）には、Ｓ１１２へ進み、ＣＰＵ１４は、ＲＳＳメニュー表示処理を実行する。ＲＳＳメニュー表示処理の詳細については後述する。
【００４５】
（リスト表示処理）
続いて、Ｓ１０８で実行されるリスト表示処理を、図８および図９のフローチャートを用いて説明する。Ｓ５０２において、ＣＰＵ１４は、表示情報記憶領域３６から表示情報１１２を読み込む。Ｓ５０４に進むと、ＣＰＵ１４は、ＲＡＭ３０の表示情報記憶領域３６からｉ番目のサイトの表示情報に含まれるサイト情報を取得する。Ｓ５０６へ進むと、ＣＰＵ１４は、ｉ番目のサイトの登録コンテンツ数ｍを取得する。
【００４６】
Ｓ５０８に進むと、ＣＰＵ１４は、ＲＡＭ３０の表示情報記憶領域３６からｊ番目の更新コンテンツ情報１３２が含まれるページ数ｐを特定する。ページ数ｐの特定方法を説明する。表示パネル５０において、リスト１７０が表示される列数を表示列数Ｌと定義する。リスト１７０は、複数（例えばｍ個）のコンテンツのそれぞれについて、当該コンテンツのコンテンツ更新日時情報１４２と当該コンテンツのコンテンツタイトル文字列１４０とを含んでいる。図１２の下段の図の例では、更新コンテンツ情報１３２に関するコンテンツタイトル文字列１４０とコンテンツ更新日時情報１４２とが、４つずつ表示されている。よって、表示列数Ｌ＝４である。また、この例では、コンテンツ提供サーバのサイトタイトル文字列１７２「ＡＢＣ．ＣＯＭ」も表示されている。
【００４７】
また、図１２の下段の図の例において、上ボタン１７５または下ボタン１７６を１回選択したときに、リスト１７０が上または下にスクロールする列数を、スクロール列数Ｓと定義する。スクロール列数Ｓ＝１のときは、１列単位でスクロールすることになる。
【００４８】
また、図４に示すように、表示情報記憶領域３６には、０から（ｍ−１）までの識別番号１３０が割り振られたｍ個の更新コンテンツ情報１３２が記憶されている。更新コンテンツ情報１３２のコンテンツタイトル文字列は、順番に表示パネル５０に１行スクロール表示される。そして、リスト表示要求イベント（Ｓ１０６）が発生したときに１行スクロール表示中のコンテンツタイトル文字列１６２に対応する更新コンテンツ情報１３２が、Ｓ５０８でのｊ番目の更新コンテンツ情報１３２とされる。
【００４９】
そして、ｊ番目の更新コンテンツ情報１３２が含まれるページ数ｐは、ｐ＝（（ｊ＋Ｌ−１）／Ｌ）の商によって求められる。
【００５０】
例えば、図１２の上段の図に示すように、ｊ＝３の更新コンテンツ情報１３２のコンテンツタイトル文字列１６２（２１：３４  スポーツ速報…）が１行スクロール表示中であるときに、ユーザが、コンテンツタイトル文字列１６２をタッチして選択した場合（すなわち、リスト表示要求イベントが発生した場合）には、ｐ＝（３＋４−１）／４＝１（余り２）となる。よって、ページ数ｐ＝１となる。
【００５１】
Ｓ５１０へ進むと、ＣＰＵ１４は、ｐページ目に表示するコンテンツ情報を読み込む。そして、Ｓ５０４で取得されたサイトタイトル文字列１２２と、Ｓ５０８で取得されたコンテンツタイトル文字列１４０と、Ｓ５０８で取得されたコンテンツ更新日時情報１４２とを含むリストデータ（表示文字列）を作成する。
【００５２】
Ｓ５１２に進むと、ＣＰＵ１４は、Ｓ５１０で作成されたリストデータを表示パネル５０に送信する。この結果、図１２の下段の図に示されるように、１行スクロール表示中のタイトルに対応する更新コンテンツ情報１３２の取得元であるコンテンツ提供サーバ（ＡＢＣ．ＣＯＭのサイト名を有するサーバ）から取得した更新コンテンツ情報１３２のタイトルが、４行分だけ一覧表示される。そして、一覧表示されたリスト１７０の上から３段目には、ユーザがコンテンツタイトル文字列１６２をタッチしたときに表示パネル５０に１行スクロール表示中であった記事のタイトル「２１：３４  スポーツ速報…」が含まれて表示される。
【００５３】
図９のＳ５１４に進むと、ＣＰＵ１４は、イベントが発生するまで待機する。後述するように、４種類のイベントの受信の有無によって、表示パネル５０の制御が行われる。図９におけるＳ５１６〜Ｓ５３０は、リスト１７０の上下方向へのスクロール表示に関する制御である。一方、Ｓ５３２〜Ｓ５３６は、コンテンツ表示に関する制御である。
【００５４】
まず、Ｓ５１６〜Ｓ５３０における、リスト１７０のスクロール表示に関する制御を説明する。Ｓ５１６に進むと、ＣＰＵ１４は、上キー選択イベントを受信したか否かを判断する。上キー選択イベントとは、図１２の下段の図に示すように、リスト１７０が一覧表示されている状態において、ユーザが、上ボタン１７５を選択（キー入力）したことを報知するイベントである。そして上ボタン１７５が１回選択される度に、一覧表示されるコンテンツタイトル文字列の識別番号１３０（カウンタｊ）の値から、スクロール列数Ｓの値が減じられる。よって、リスト１７０が、スクロール列数Ｓ分だけ表示パネル５０の上方にスクロールし、より識別番号１３０（カウンタｊ）の小さいコンテンツタイトル文字列が表示されることになる。
【００５５】
上キー選択イベントを受信した場合（Ｓ５１６：ＹＥＳ）には、Ｓ５１８へ進む。Ｓ５１８では、ＣＰＵ１４は、カウンタｊからスクロール列数Ｓを減算した値が、０よりも大きいか否かを判断する。減算結果が０よりも大きくない場合（Ｓ５１８：ＮＯ）は、カウンタｊ＝０が割り振られた更新コンテンツ情報１３２（最も優先度が高い更新コンテンツ情報１３２）が既に表示されている場合である。すなわち、表示パネル５０の上方にこれ以上スクロール表示が出来ない場合である。よってＳ５２０へ進み、ＣＰＵ１４は拒否音を鳴動させてその旨をユーザに報知する。その後、Ｓ５１４へ戻る。また、減算結果が０よりも大きい場合（Ｓ５１８：ＹＥＳ）には、Ｓ５２２へ進む。Ｓ５２２では、ＣＰＵ１４は、カウンタｊからスクロール列数Ｓを減じた値を新たにカウンタｊの値とする。よってスクロール列数Ｓ分だけリスト１７０が上方にスクロールする。その後、Ｓ５０８へ戻る。
【００５６】
また、Ｓ５１６において上キー選択イベントを受信しなかった場合（Ｓ５１６：ＮＯ）には、Ｓ５２４へ進む。Ｓ５２４に進むと、ＣＰＵ１４は、下キー選択イベントを受信したか否かを判断する。下キー選択イベントとは、図１２の下段の図において、ユーザが、下ボタン１７６を選択（キー入力）したことを報知するイベントである。そして下ボタン１７６が１回選択される度に、一覧表示されるコンテンツタイトル文字列の識別番号１３０（カウンタｊ）の値に、スクロール列数Ｓの値が加算される。よって、リスト１７０が、スクロール列数Ｓ分だけ表示パネル５０の下方にスクロールし、より識別番号１３０（カウンタｊ）の大きいコンテンツタイトル文字列が表示されることになる。
【００５７】
下キー選択イベントを受信した場合（Ｓ５２４：ＹＥＳ）には、Ｓ５２６へ進む。Ｓ５２６では、ＣＰＵ１４は、カウンタｊにスクロール列数Ｓを加算した値が、登録コンテンツ数ｍよりも大きいか否かを判断する。加算結果が登録コンテンツ数ｍよりも大きい場合（Ｓ５２６：ＹＥＳ）は、カウンタｊ＝（ｍ−１）が割り振られた更新コンテンツ情報１３２（最も優先度が低い更新コンテンツ情報１３２）が既に表示されている場合である。すなわち、表示パネル５０の下方にこれ以上スクロール表示が出来ない場合である。よってＳ５２８へ進み、ＣＰＵ１４は拒否音を鳴動させてその旨をユーザに報知する。その後、Ｓ５１４へ戻る。また、加算結果が登録コンテンツ数ｍよりも大きくない場合（Ｓ５２６：ＮＯ）には、Ｓ５３０へ進む。Ｓ５３０では、ＣＰＵ１４は、カウンタｊにスクロール列数Ｓを加えた値を新たにカウンタｊの値とする。よってスクロール列数Ｓ分だけリスト１７０が下方にスクロールする。その後、Ｓ５０８へ戻る。
【００５８】
次に、Ｓ５３２〜Ｓ５３６における、コンテンツ表示に関する制御を説明する。Ｓ５２４において下キー選択イベントを受信していない場合（Ｓ５２４：ＮＯ）には、Ｓ５３２へ進む。Ｓ５３２において、ＣＰＵ１４は、コンテンツ選択操作イベントを受信したか否かを判断する。ここでコンテンツ選択操作イベントは、図１２の下段の図に示すように、リスト１７０が表示されている状態において、ユーザは、リスト１７０の複数のコンテンツから、何れか１つのコンテンツ（コンテンツタイトル文字列）を選択（タッチ）したことを報知するイベントである。Ｓ５３２においてコンテンツ選択操作イベントが発生した場合（Ｓ５３２：ＹＥＳ）には、Ｓ５３４へ進み、コンテンツ表示処理を実行する。コンテンツ表示処理では、ＣＰＵ１４は、ユーザによって選択されたコンテンツのコンテンツＵＲＬ１４６をＰＣ７０や７１に送信する。ＰＣ７０や７１は、コンテンツＵＲＬ１４６に基づいてコンテンツをコンテンツ提供サーバからダウンロードする。これにより、表示パネル５０よりも大きな表示部を有するＰＣ７０や７１において、選択されたコンテンツの内容を表示させることができる。
【００５９】
なお、コンテンツ表示処理では、コンテンツをＰＣ７０や７１に表示させる形態に限られない。ＣＰＵ１４は、コンテンツ選択操作イベントで選択されたコンテンツの表示データを、表示パネル５０に送信するとしてもよい。これにより、表示パネル５０に、選択されたコンテンツの内容を表示させることができる。
【００６０】
一方、Ｓ５３２においてコンテンツ選択操作イベントが発生しなかった場合（Ｓ５３２：ＮＯ）、Ｓ５３６へ進み、ＣＰＵ１４は、リスト表示終了操作イベントが発生したか否かを判断する。リスト表示終了操作イベントは、図１２の下段の図に示すように、リスト１７０が表示されている状態において、ボタン１７４をユーザが選択（タッチ）したことを報知するイベントである。リスト表示終了操作イベントが発生した場合（Ｓ５３６：ＹＥＳ）、ＣＰＵ１４は、リスト表示処理を終了する。一方、リスト表示終了操作イベントが発生しなかった場合（Ｓ５３６：ＮＯ）、Ｓ５１４に戻って、イベントが発生するまで待機する。
【００６１】
以上説明した通り、本願に係るリスト表示処理では、ユーザがコンテンツタイトル文字列１６２をタッチしたときに表示パネル５０に１行スクロール表示中であった記事のタイトルが、一覧表示されたリスト１７０の中に含まれて表示される。これにより、目的の記事のタイトル（すなわち、ユーザが選択した１行スクロール表示中のタイトル）を探すために、タイトル一覧をスクロール表示させるなどの手間が発生することを防止できる。よって、ユーザが注目したコンテンツに容易にアクセスすることが可能となる。
【００６２】
（ＲＳＳメニュー表示処理）
次に、Ｓ１１２で実行されるＲＳＳメニュー表示処理を、図１０および図１１のフローチャートを用いて説明する。Ｓ６０２において、ＣＰＵ１４は、表示情報記憶領域３６から表示情報１１２を読み込む。Ｓ６０４に進むと、ＣＰＵ１４は、ＮＶＲＡＭ４０のＵＲＬ記憶領域４４（図２参照）に記憶されている登録サイト数ｎを取得する。Ｓ６０６に進むと、ＣＰＵ１４は、カウンタｉの値を”１”とし、カウンタｉを初期化する。
【００６３】
Ｓ６０８に進むと、ＣＰＵ１４は、ＲＡＭ３０の表示情報記憶領域３６からｉ番目の表示情報１１２が含まれるページ数ｐ２を特定する。ページ数ｐ２の特定方法を説明する。表示パネル５０において、サイトリスト１７１が表示される列数を表示列数Ｌ２と定義する。サイトリスト１７１は、登録サイト数ｎのｎ個のサイトのそれぞれについて、サイトタイトル文字列１２２を含んでいる。図１３の中段の図の例では、４つのサイトタイトルが表示されている。よって、表示列数Ｌ２＝４である。
【００６４】
また、図１３の中段の図の例において、上ボタン１９５または下ボタン１９６を１回選択したときに、サイトリスト１７１が上または下にスクロールする列数を、スクロール列数Ｓ２と定義する。
【００６５】
また、図４に示すように、表示情報記憶領域３６には、０から（ｎ−１）までの識別番号１１０が割り振られたｎ個の表示情報１１２が記憶されている。
【００６６】
そして、ｉ番目の表示情報１１２が含まれるページ数ｐ２は、ｐ２＝（（ｉ＋Ｌ２−１）／Ｌ２）の商によって求められる。
【００６７】
例えば、図１３の上段の図に示すように、ユーザが、ＲＳＳメニューボタン１６０をタッチして選択した場合（すなわち、ＲＳＳメニュー表示要求イベントが発生した場合）には、Ｓ６０６においてｉ＝１とされるため、ｐ２＝（１＋４−１）／４＝１（余り０）となる。よって、ページ数ｐ２＝１となる。
【００６８】
Ｓ６１０へ進むと、ＣＰＵ１４は、ｐ２ページ目に表示するサイトタイトル文字列１２２からリストデータ（表示文字列）を生成する。
【００６９】
Ｓ６１２に進むと、ＣＰＵ１４は、Ｓ６１０で作成されたリストデータを表示パネル５０に送信する。この結果、図１３の中段の図に示されるように、各々のコンテンツ提供サーバのサイトタイトル文字列１２２（ＡＢＣ．ＣＯＭなど）が、４行分だけ一覧表示される。
【００７０】
図１１のＳ６１４に進むと、ＣＰＵ１４は、イベントが発生するまで待機する。図１１におけるＳ６１６〜Ｓ６３０は、サイトリスト１７１の上下方向へのスクロール表示に関する制御である。一方、Ｓ６３２〜Ｓ６３６は、コンテンツ表示に関する制御である。
【００７１】
まず、Ｓ６１６〜Ｓ６３０における、サイトリスト１７１のスクロール表示に関する制御を説明する。Ｓ６１６に進むと、ＣＰＵ１４は、上キー選択イベントを受信したか否かを判断する。上キー選択イベントとは、図１３の中段の図に示すように、サイトリスト１７１が一覧表示されている状態において、ユーザが、上ボタン１９５を選択（キー入力）したことを報知するイベントである。そして上ボタン１９５が１回選択される度に、サイトリスト１７１が、スクロール列数Ｓ２分だけ表示パネル５０の上方にスクロールし、より識別番号１１０（カウンタｉ）の小さいサイトタイトル文字列１２２が表示されることになる。
【００７２】
上キー選択イベントを受信した場合（Ｓ６１６：ＹＥＳ）には、Ｓ６１８へ進む。Ｓ６１８では、ＣＰＵ１４は、カウンタｉからスクロール列数Ｓ２を減算した値が、０よりも大きいか否かを判断する。減算結果が０よりも大きくない場合（Ｓ６１８：ＮＯ）は、表示パネル５０の上方にこれ以上スクロール表示が出来ない場合である。よってＳ６２０へ進み、ＣＰＵ１４は拒否音を鳴動させてその旨をユーザに報知する。その後、Ｓ６１４へ戻る。また、減算結果が０よりも大きい場合（Ｓ６１８：ＹＥＳ）には、Ｓ６２２へ進む。Ｓ６２２では、ＣＰＵ１４は、カウンタｉからスクロール列数Ｓ２を減じた値を新たにカウンタｉの値とする。よってスクロール列数Ｓ２分だけサイトリスト１７１が上方にスクロールする。その後、Ｓ６０８へ戻る。
【００７３】
また、Ｓ６１６において上キー選択イベントを受信しなかった場合（Ｓ６１６：ＮＯ）には、Ｓ６２４へ進む。Ｓ６２４に進むと、ＣＰＵ１４は、下キー選択イベントを受信したか否かを判断する。下キー選択イベントとは、図１３の中段の図において、ユーザが、下ボタン１９６を選択（キー入力）したことを報知するイベントである。そして下ボタン１９６が１回選択される度に、サイトリスト１７１が、スクロール列数Ｓ２分だけ表示パネル５０の下方にスクロールし、より識別番号１１０（カウンタｉ）の大きいサイトタイトル文字列１２２が表示されることになる。
【００７４】
下キー選択イベントを受信した場合（Ｓ６２４：ＹＥＳ）には、Ｓ６２６へ進む。Ｓ６２６では、ＣＰＵ１４は、カウンタｉにスクロール列数Ｓ２を加算した値が、登録サイト数ｎよりも大きいか否かを判断する。加算結果が登録サイト数ｎよりも大きい場合（Ｓ６２６：ＹＥＳ）は、表示パネル５０の下方にこれ以上スクロール表示が出来ない場合である。よってＳ６２８へ進み、ＣＰＵ１４は拒否音を鳴動させてその旨をユーザに報知する。その後、Ｓ６１４へ戻る。また、加算結果が登録サイト数ｎよりも大きくない場合（Ｓ６２６：ＮＯ）には、Ｓ６３０へ進む。Ｓ６３０では、ＣＰＵ１４は、カウンタｉにスクロール列数Ｓ２を加えた値を新たにカウンタｉの値とする。よってスクロール列数Ｓ２分だけサイトリスト１７１が下方にスクロールする。その後、Ｓ６０８へ戻る。
【００７５】
次に、Ｓ６３２〜Ｓ６３６における、コンテンツ表示に関する制御を説明する。Ｓ６２４において下キー選択イベントを受信していない場合（Ｓ６２４：ＮＯ）には、Ｓ６３２へ進む。Ｓ６３２において、ＣＰＵ１４は、サイト確定イベントを受信したか否かを判断する。ここでサイト確定イベントは、図１３の中段の図に示すように、サイトリスト１７１が表示されている状態において、ユーザが、サイトリスト１７１の複数のサイトタイトル文字列１２２から、何れか１つのサイトタイトル文字列１２２を選択（タッチ）したことを報知するイベントである。
【００７６】
Ｓ６３２においてサイト確定イベントが発生した場合（Ｓ６３２：ＹＥＳ）、Ｓ６３３へ進む。Ｓ６３３では、ＣＰＵ１４は、選択されたコンテンツ提供サーバ９０から取得した更新コンテンツ情報１３２のコンテンツタイトル文字列を一覧表示する際の、表示順を決定する。具体的には、カウンタｊの値を”０”にすることで、最も優先度が高い更新コンテンツ情報１３２から順番に、リスト１７０に表示されるように表示順が決定される  
【００７７】
Ｓ６３４へ進むと、ＣＰＵ１４は、リスト表示処理を行う。なお、Ｓ６３４で行われるリスト表示処理は、図８および図９のＳ５０２〜Ｓ５３６で行われるリスト表示と同等であるため、ここでは詳細な説明は省略する。
【００７８】
例として、Ｓ６３２において、図１３の中段の図のサイトリスト１７１から、上から２番目のサイトタイトル文字列１２２「Ｓｐｏｒｔｓ．ＣＯＭ」が選択された場合を説明する。この場合、図１３の下段の図に示されるように、選択したサイトタイトル文字列１２２に対応するコンテンツ提供サーバ（Ｓｐｏｒｔｓ．ＣＯＭのサイト名を有するサーバ）から取得した更新コンテンツ情報１３２のタイトルが、リスト１７０ａとして、４行分だけ一覧表示される。そしてリスト１７０ａは、優先度が高い更新コンテンツ情報１３２のコンテンツタイトル文字列ほど上段に表示される表示順番で、表示される。例えば、コンテンツ更新日時情報１４２が新しい更新コンテンツ情報１３２ほど優先度が高くなる設定の場合には、図１３の下段の図に示すように、新しい情報ほどリスト１７０ａの上段に表示されることになる。そしてリスト１７０ａの最上段には、最も優先度が高い更新コンテンツ情報１３２（すなわち、カウンタｊ＝０に対応する更新コンテンツ情報１３２）のコンテンツタイトル文字列が表示される。また、表示パネル５０の上部には、選択されたコンテンツ提供サーバのサイトタイトル文字列１２２「Ｓｐｏｒｔｓ．ＣＯＭ」が表示される。
【００７９】
一方、Ｓ６３２においてコンテンツ選択操作イベントが発生しなかった場合（Ｓ６３２：ＮＯ）、Ｓ６３６へ進み、ＣＰＵ１４は、ＲＳＳメニュー終了操作イベントが発生したか否かを判断する。ＲＳＳメニュー終了操作イベントは、図１３の中段の図に示すように、サイトリスト１７１が表示されている状態において、ボタン１９４をユーザが選択（タッチ）したことを報知するイベントである。リスト表示終了操作イベントが発生した場合（Ｓ６３６：ＹＥＳ）、ＣＰＵ１４は、リスト表示処理を終了する。一方、リスト表示終了操作イベントが発生しなかった場合（Ｓ６３６：ＮＯ）、Ｓ６１４に戻って、イベントが発生するまで待機する。
【００８０】
以上説明した通り、本実施形態に係る発明では、リスト表示処理とは別に、ＲＳＳメニュー表示処理によっても、所望のコンテンツを閲覧することが可能となる。すなわち、ユーザに対して、所望のコンテンツを閲覧する手段を複数提供することができる。これにより、ユーザが高い頻度で閲覧するコンテンツに対応する更新コンテンツ情報１３２の取得元であるコンテンツ提供サーバが特定されている場合には、ＲＳＳメニュー表示処理を用いて当該コンテンツ提供サーバにアクセスし、コンテンツを閲覧することが可能となる。そして、この場合、所望のコンテンツ提供サーバ９０に関連する更新コンテンツ情報１３２のタイトルが１行スクロール表示されてくるのを待つ必要はない。よって、ユーザが閲覧したいコンテンツへ対するアクセス性を更に高めることができる。
【００８１】
また、ＲＳＳメニュー表示処理では、所望のコンテンツ提供サーバ９０に関連する更新コンテンツ情報１３２のタイトルが、優先度の順に一覧表示される。これにより、優先度が高いコンテンツ要約情報のタイトルが必ず最初に表示パネル５０に表示される。よって、目的の記事のタイトルを探すためにタイトル一覧をスクロール表示させるなどの手間を減らすことができるため、よりユーザの利便性を図ることが可能となる。
【００８２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。上記の実施例の変形例を以下に列挙する。
【００８３】
多機能機１０は、スクロール表示されるコンテンツタイトル文字列１６２を選択する操作とは独立した、コンテンツ提供サーバを選択する操作を受け付ける手段を備えるとしてもよい。具体的には、例えば、図１２の下段の図の例に示すように、右ボタン１７７または左ボタン１７８を１回選択したときに、図１３の中段に示すように、サイトリスト１７１が表示されるとしてもよい。そしてサイトリスト１７１の中からユーザが何れかのサイトタイトルを選択すると、図１３の下段に示すように、選択したサイトタイトルに対応するコンテンツ提供サーバ（Ｓｐｏｒｔｓ．ＣＯＭのサイト名を有するサーバ）から取得した更新コンテンツ情報１３２のタイトルが、リスト１７０ａとして、一覧表示されるとしてもよい。また、このとき、リスト１７０ａでは、優先度が高い更新コンテンツ情報１３２のコンテンツタイトル文字列ほど上段に表示されるとしてもよい。これにより、ユーザは、スクロール表示されるコンテンツタイトル文字列１６２を選択する方法とは別に、右ボタン１７７または左ボタン１７８を選択する方法によっても、所望のコンテンツを閲覧することが可能となる。よって、ユーザが閲覧したいコンテンツへ対するアクセス性を更に高めることができる。
【００８４】
また、図７のＳ１０８において、ＣＰＵ１４は、リスト表示要求イベントが発生している場合には、リスト表示処理を実行し、リスト１７０を表示パネル５０に表示するとしたが、この形態に限られない。Ｓ１０８において、ＣＰＵ１４は、コンテンツ表示処理（Ｓ５３２）を実行するとしてもよいことは言うまでもない。この場合、コンテンツタイトル文字列１６２がテロップ表示されている状態において、ユーザが、コンテンツタイトル文字列１６２を選択（キー入力）すると、選択されたコンテンツが表示パネル５０やＰＣ７０、７１の表示部に表示される。
【００８５】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００８６】
なお、更新コンテンツ情報１３２はコンテンツ要約情報の一例、ＰＣ７０、７１は情報表示装置の一例、多機能機１０は通信装置の一例、表示パネル５０は表示部の一例、である。
【図面の簡単な説明】
【００８７】
【図１】多機能機システムの構成を示す図である。
【図２】多機能機の構成を示す図である。
【図３】ＵＲＬ記憶領域の記憶内容の一例を示す図である。
【図４】表示情報記憶領域の記憶内容の一例を示す図である。
【図５】多機能機が実行するフィード情報解析処理のフローチャートを示す図である。
【図６】多機能機が実行する表示処理のフローチャート（その１）を示す図である。
【図７】多機能機が実行する表示処理のフローチャート（その２）を示す図である。
【図８】多機能機が実行するリスト表示処理のフローチャート（その１）を示す図である。
【図９】多機能機が実行するリスト表示処理のフローチャート（その２）を示す図である。
【図１０】多機能機が実行するＲＳＳメニュー表示処理のフローチャート（その２）を示す図である。
【図１１】多機能機が実行するＲＳＳメニュー表示処理のフローチャート（その２）を示す図である。
【図１２】表示パネルの表示内容の一例（その１）を示す図である。
【図１３】表示パネルの表示内容の一例（その２）を示す図である。
【符号の説明】
【００８８】
１０  多機能機
４４  ＵＲＬ記憶領域
５０  表示パネル
７０、７１  ＰＣ
１０２  ＵＲＬ
１３０  識別番号
１３２  更新コンテンツ情報
１６２  コンテンツタイトル文字列
１７０  リスト
ｉ、ｊ  カウンタ
ｊ  カウンタ
Ｌ、２Ｌ  表示列数
Ｓ、Ｓ２  スクロール列数
ｐ、ｐ２  ページ数
【図１】
2010087719.tif 000003
【図２】
2010087719.tif 000004
【図３】
2010087719.tif 000005
【図４】
2010087719.tif 000006
【図５】
2010087719.tif 000007
【図６】
2010087719.tif 000008
【図７】
2010087719.tif 000009
【図８】
2010087719.tif 000010
【図９】
2010087719.tif 000011
【図１０】
2010087719.tif 000012
【図１１】
2010087719.tif 000013
【図１２】
2010087719.tif 000014
【図１３】
2010087719.tif 000015